(57)【要約】【課題】認証された操作者の設定項目の設定値が、非表示として登録されている設定値以外の設定値に変更された場合に、設定値が変更された設定項目を操作者に認識させる。【解決手段】情報処理装置は、操作者を認証する認証手段と、前記認証手段により認証された操作者に対して、複数の設定項目のうち選択された設定項目が表示されないように制御する制御手段と、を有し、前記制御手段は、該制御手段により表示されないように制御されている設定項目の設定値が、認証された操作者に対して登録されている設定値以外の設定値に変更された場合に、設定値が変更された設定項目を表示するよう制御する。【選択図】図２
2018034303.tif 000002
【特許請求の範囲】
【請求項１】
操作者を認証する認証手段と、
前記認証手段により認証された操作者に対して、複数の設定項目のうち選択された設定項目が表示されないように制御する制御手段と、
を有し、
前記制御手段は、該制御手段により表示されないように制御されている設定項目の設定値が、認証された操作者に対して登録されている設定値以外の設定値に変更された場合に、設定値が変更された設定項目を表示するよう制御する
情報処理装置。
【請求項２】
前記制御手段は、表示されないように制御している設定項目の設定値が、認証された操作者に対して登録されている設定値以外の設定値に変更された場合に、設定値が変更された設定項目を、他の設定項目よりも上位に表示するよう制御する請求項１記載の情報処理装置。
【請求項３】
前記制御手段は、表示されないように制御している設定項目の設定値が、認証された操作者に対して登録されている設定値以外の設定値に変更された場合に、設定値が変更された設定項目を、他の設定項目とは表示が異なるように制御する請求項１記載の情報処理装置。
【請求項４】
前記制御手段は、表示されないように制御している設定項目の設定値が、認証された操作者に対して登録されている設定値以外の設定値に変更された場合に、設定値が変更された設定項目を、他の設定項目とは分離して表示するよう制御する請求項１記載の情報処理装置。
【請求項５】
前記制御手段は、表示されないように制御している設定項目の設定値が、認証された操作者に対して登録されている設定値以外の設定値に変更された場合に、設定値が変更された設定項目を表示するか否かを選択する選択画面を表示するよう制御する請求項１記載の情報処理装置。
【請求項６】
操作者を認証する認証手段と、
前記認証手段により認証された操作者に対して、複数の設定項目のうち選択された設定項目が表示されないように制御する制御手段と、
複数の設定項目の設定値を用いて記録媒体上に画像を出力する画像出力手段と、
を有し、
前記制御手段は、該制御手段により表示されないように制御されている設定項目の設定値が、認証された操作者に対して登録されている設定値以外の設定値に変更された場合に、設定値が変更された設定項目を表示するよう制御する
画像形成装置。
【請求項７】
操作者を認証するステップと、
認証された操作者に対して、複数の設定項目のうち選択された設定項目が表示されないように制御するステップと、
表示されないように制御されている設定項目の設定値が、認証された操作者に対して登録されている設定値以外の設定値に変更された場合に、設定値が変更された設定項目を表示するよう制御するステップと、
をコンピュータに実行させるためのプログラム。
【発明の詳細な説明】
【技術分野】
【０００１】
本発明は、情報処理装置、画像形成装置及びプログラムに関する。
【背景技術】
【０００２】
特許文献１には、操作者を識別する操作者識別手段と、前記操作者識別手段によって識別した操作者による前記操作画面を構成する各設定項目の利用状態を解析する解析手段と、前記解析手段によって解析された利用状態に基づいて前記操作画面上に表示する１または複数の設定項目を決定する決定手段と、前記決定手段により決定された１または複数の設定項目により構成される操作画面を生成する画面生成手段と、を備えた構成が開示されている。
【０００３】
特許文献２には、表示手段と、動作モード設定用の１個または複数個の操作キーの前記表示手段への表示、非表示をカスタマイズ可能なカスタマイズ手段と、第１の動作モードと、該第１の動作モードの設定値を強制的に変更して使用する第２の動作モードとを含む動作モードを設定可能なモード設定手段と、前記カスタマイズ手段により前記第１の動作モードの設定値を設定するための操作キーが非表示にカスタマイズされていない状態では、前記モード設定手段により前記第２の動作モードが設定されたときに、前記第１の動作モードの設定値を強制的に第１のパラメータに変更するとともに、第１の動作モードの解除後も前記第１のパラメータを維持し、ユーザによる設定値の変更操作がなされたときに前記第１のパラメータを変更し、前記第１の動作モードの設定値を第２のパラメータに変更するとともに、第２の動作モードの解除後は前記第１の動作モードの設定値を第３のパラメータに切り替える制御手段と、を備えた構成が開示されている。
【先行技術文献】
【特許文献】
【０００４】
【特許文献１】特開２０１０−２０１８１４号公報
【特許文献２】特開２０１１−１９１４３２号公報
【発明の概要】
【発明が解決しようとする課題】
【０００５】
例えば複合機のコピー画面上において、カラーモード、用紙選択、両面片面選択等の各種機能を設定する際に、ユーザ毎に設定値の表示・非表示をカスタマイズして保存し、ユーザの認証が完了した時点でその設定値を呼び出すことで、操作時間の削減が行われている。
【０００６】
しかし、非表示としてカスタマイズした設定項目が、複合機のデバイス状態、権限状態で非表示に設定した設定項目の設定値と異なる設定値となった場合に、ユーザが認識できず、ユーザが意図したものとならないことがおきる場合がある。
【０００７】
本発明の目的は、認証された操作者の設定項目の設定値が、非表示として登録されている設定値以外の設定値に変更された場合に、設定値が変更された設定項目を操作者に認識させることが可能な情報処理装置、画像形成装置およびプログラムを提供することである。
【課題を解決するための手段】
【０００８】
［情報処理装置］
請求項１に係る本発明は、操作者を認証する認証手段と、前記認証手段により認証された操作者に対して、複数の設定項目のうち選択された設定項目が表示されないように制御する制御手段と、を有し、前記制御手段は、該制御手段により表示されないように制御されている設定項目の設定値が、認証された操作者に対して登録されている設定値以外の設定値に変更された場合に、設定値が変更された設定項目を表示するよう制御する情報処理装置である。
【０００９】
請求項２に係る本発明は、前記制御手段は、表示されないように制御している設定項目の設定値が、認証された操作者に対して登録されている設定値以外の設定値に変更された場合に、設定値が変更された設定項目を、他の設定項目よりも上位に表示するよう制御する請求項１記載の情報処理装置。
【００１０】
請求項３に係る本発明は、前記制御手段は、表示されないように制御している設定項目の設定値が、認証された操作者に対して登録されている設定値以外の設定値に変更された場合に、設定値が変更された設定項目を、他の設定項目とは表示が異なるように表示するよう制御する請求項１記載の情報処理装置である。
【００１１】
請求項４に係る本発明は、前記制御手段は、表示されないように制御している設定項目の設定値が、認証された操作者に対して登録されている設定値以外の設定値に変更された場合に、設定値が変更された設定項目を、他の設定項目とは分離して表示するよう制御する請求項１記載の情報処理装置である。
【００１２】
請求項５に係る本発明は、前記制御手段は、表示されないように制御している設定項目の設定値が、認証された操作者に対して登録されている設定値以外の設定値に変更された場合に、設定値が変更された設定項目を表示するか否かを選択する選択画面を表示するよう制御する請求項１記載の情報処理装置である。
【００１３】
［画像形成装置］
請求項６に係る本発明は、操作者を認証する認証手段と、前記認証手段により認証された操作者に対して、複数の設定項目のうち選択された設定項目が表示されないように制御する制御手段と、複数の設定項目の設定値を用いて記録媒体上に画像を出力する画像出力手段と、を有し、前記制御手段は、該制御手段により表示されないように制御されている設定項目の設定値が、認証された操作者に対して登録されている設定値以外の設定値に変更された場合に、設定値が変更された設定項目を表示するよう制御する画像形成装置である。
【００１４】
[プログラム]
請求項７に係る本発明は、操作者を認証するステップと、認証された操作者に対して、複数の設定項目のうち選択された設定項目が表示されないように制御するステップと、表示されないように制御されている設定項目の設定値が、認証された操作者に対して登録されている設定値以外の設定値に変更された場合に、設定値が変更された設定項目を表示するよう制御するステップと、をコンピュータに実行させるためのプログラムである。
【発明の効果】
【００１５】
請求項１に係る本発明によれば、認証された操作者の設定項目の設定値が、非表示として登録されている設定値以外の設定値に変更された場合に、設定値が変更された設定項目を操作者に認識させることが可能な情報処理装置を提供することができる。
【００１６】
請求項２に係る本発明によれば、請求項１に係る本発明により得られる効果に加えて、設定値が変更されたことを操作者に認識させやすくすることが可能な情報処理装置を提供することができる。
【００１７】
請求項３に係る本発明によれば、請求項１に係る本発明により得られる効果に加えて、設定値が変更されたことを操作者に認識させやすくすることが可能な情報処理を提供することができる。
【００１８】
請求項４に係る本発明によれば、請求項１に係る本発明により得られる効果に加えて、設定値が変更されたことを操作者に認識させやすくすることが可能な情報処理を提供することができる。
【００１９】
請求項５に係る本発明によれば、請求項１に係る本発明により得られる効果に加えて、設定値が変更されたことを操作者に認識させることが可能な情報処理装置を提供することができる。
【００２０】
請求項６に係る本発明によれば、認証された操作者の設定項目の設定値が、非表示として登録されている設定値以外の設定値に変更された場合に、設定値が変更された設定項目を操作者に認識させることが可能な画像形成装置を提供することができる。
【００２１】
請求項７に係る本発明によれば、認証された操作者の設定項目の設定値が、非表示として登録されている設定値以外の設定値に変更された場合に、設定値が変更された設定項目を操作者に認識させることが可能なプログラムを提供することができる。
【図面の簡単な説明】
【００２２】
【図１】本発明の一実施形態における画像形成装置１０のハードウェア構成を示すブロック図である。
【図２】本発明の一実施形態における画像形成装置１０の機能構成を示すブロック図である。
【図３】カスタマイズ情報格納部２６に格納されるカスタマイズ情報の一例を示す図である。
【図４】操作パネル３４上に表示されるメニュー画面例を示す図である。
【図５】操作パネル３４上に表示されるコピー画面（初期画面）の一例を示す図である。
【図６】操作パネル３４上に表示される認証画面の一例を示す図である。
【図７】操作パネル３４上に表示されるコピー画面の一例を示す図である。
【図８】操作パネル３４上に表示されるコピー画面の一例を示す図である。
【図９】本発明の一実施形態における画像形成装置１０の各設定項目の設定動作を説明する図である。
【図１０】本発明の一実施形態における画像形成装置１０の動作の一例を説明する図である。
【図１１】本発明の一実施形態における画像形成装置１０の動作による他の表示例を説明する図である。
【図１２】本発明の一実施形態における画像形成装置１０の動作による他の表示例を説明する図である。
【図１３】本発明の一実施形態における画像形成装置１０の動作による他の表示例を説明する図である。
【図１４】本発明の一実施形態における画像形成装置１０の動作による他の表示例を説明する図である。
【図１５】本発明の一実施形態における画像形成装置１０の動作による他の表示例を説明する図である。
【発明を実施するための形態】
【００２３】
次に、本発明の実施の形態について図面を参照して詳細に説明する。
【００２４】
本実施形態の情報処理装置の一例である画像形成装置１０のハードウェア構成を図１に示す。
【００２５】
画像形成装置１０は、図１に示されるように、ＣＰＵ１１、メモリ１２、ハードディスクドライブ（ＨＤＤ）等の記憶装置１３、ネットワークを介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００２６】
プリントエンジン１７は、帯電、露光、現像、転写、定着などの工程を経て印刷用紙等の記録媒体上に画像を印刷する。
【００２７】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００２８】
図２は、上記の制御プログラムが実行されることにより実現される画像形成装置１０の機能構成を示すブロック図である。図３は、カスタマイズ情報格納部２６に格納されるカスタマイズ情報の一例を示す図である。
【００２９】
本実施形態の画像形成装置１０は、図２に示されるように、表示部２１と、操作部２２と、制御部２３と、認証部２４と、検出部２５と、カスタマイズ情報格納部２６と、通信部２７と、画像出力部２８と、画像読取部２９とを備えている。
【００３０】
画像出力部２８は、印刷用紙等の記録媒体上に画像を出力する処理を実行している。また、画像読取部２９は、原稿をスキャンすることにより原稿画像を読取る処理を実行している。
【００３１】
制御部２３は、操作部２２により入力された操作情報に基づいて、画像出力部２８および画像読取部２９の動作を制御したり、各種情報を表示部２１に表示、非表示する等の各種制御を行っている。
【００３２】
なお、図２では、表示部２１と操作部２２とは別構成として示されているが、本実施形態では表示部２１と操作部２２とはタッチパネルにより一体の部品として構成されている。
【００３３】
認証部２４は、画像形成装置１０を使用しようとするユーザを、例えば、ＩＤ及びパスワードの入力、ＩＣカードによる認証方法等を用いて認証する。
【００３４】
カスタマイズ情報格納部２６は、自装置である画像形成装置１０の複数の機能に関する設定項目について、ユーザが予め登録しておいた設定値をカスタマイズ情報として格納している。具体的には、図３に示すように、カスタマイズ情報格納部２６は、カラーモード、用紙選択、両面片面選択、倍率選択、濃度調整等の各設定項目について、ユーザが予め登録しておいた設定値と、設定項目を表示するかしないかの表示、非表示の情報と、をカスタマイズ情報として格納している。
【００３５】
検出部２５は、カスタマイズ情報格納部２６に格納されたカスタマイズ情報のうち、ユーザが予め非表示に登録した設定項目の設定値が、複合機のデバイス状態、権限状態等により、登録した設定値以外の設定値に変更されているか否かを検出する。ここで、デバイス状態とは、自装置の機械状態をいい、例えばユーザが予め非表示に登録したカラーモードの設定値はフルカラーであるが、カラートナーがなくなって設定値が白黒に変更される場合等が該当する。また、権限状態とは、管理者が操作者に対して設定値の変更に制限を加えている状態又は制限が解除された状態をいい、例えばコピー枚数に制限をかけているような場合（例えば１００枚までフルカラー、１００枚以上は白黒と制限されているような場合）に、ユーザが予め非表示に登録したカラーモードの設定値はフルカラーであるが、コピー枚数が１００枚以上となって設定値が白黒に変更される場合等が該当する。
【００３６】
また、制御部２３は、カスタマイズ情報格納部２６に格納されているカスタマイズ情報に基づいて、表示部２１に各設定項目を表示し、表示しないように制御する。また、検出部２５により、ユーザが予め非表示に登録した設定項目の設定値が、登録した設定値以外の設定値に変更されていると検出された場合に、非表示に登録されている設定項目を表示するように制御する。
【００３７】
表示部２１は、制御部２３による制御に基づいて、図４に示すように、複数の機能にそれぞれ対応した絵柄図形である複数のアイコン３２を含むメニュー画面を操作パネル３４上に表示する。図４で示された「コピー」、「ファックス」、「スキャナー」、・・・、「ボックス操作」、「ヘルプ」等のアイコン３２を指やペン等の操作体によるタッチすることにより操作すると、それぞれの機能の設定変更を行うための画面に遷移するようになっている。
【００３８】
また、表示部２１は、メニュー画面上（メニュー画面）において「コピー」のアイコン３２が選択された場合に、図５に示すようなコピーに関する複数の機能に関する情報を提供するための複数のアイコン３６を含むコピー画面を表示する。
【００３９】
ここで、アイコンとは、表示画面上に表示され、特定のアプリケーションプログラムを起動させたり、特定の画面に遷移したりするための操作位置を示すための絵柄図形である。そして、この絵柄図形には、単にデザインされた図形だけでなく、アルファベット、ひらがな、カタカタ、漢字等の各種文字が含まれる場合もある。
【００４０】
そして、図５に示されたコピー画面上では、例えば「部数」等の二重四角枠３８に数字を入力したり、複数のアイコン３６上の右枠欄を操作体でタッチして、それぞれの機能に関する設定項目に対する設定値を選択する。また、スクロールバー３９を操作体でタッチして、上下に移動させることで複数の設定項目が表示され、表示された複数の設定項目に対して設定値を選択することができる。
【００４１】
本実施形態においては、コピー画面上に表示された認証ボタン４０をタッチすることにより、例えば図６に示すような認証画面が表示される。
【００４２】
認証画面では、ユーザにＩＤとパスワードの入力を促す表示がなされる。ＩＤとパスワードの入力がなされ、認証部２４により認証が行われると、検出部２５により、ユーザが予め非表示に登録した設定項目の設定値が、複合機のデバイス状態、権限状態等により、登録した設定値以外の設定値に変更されている設定値があるか否かが検出される。
【００４３】
そして、検出部２５により、変更された設定値がないと検出された場合には、ユーザによって認証されたコピー画面において、設定項目の設定値が、初期値からカスタマイズ情報格納部２６に格納され認証されたユーザにより予め登録された設定値に変更され、表示として登録された設定項目が表示される。具体的には、図７に示すように、各設定項目の設定値が認証されたユーザＡにより予め登録された設定値に変更され、表示として登録された設定項目である「用紙選択」についてＡ４サイズに、「両面片面選択」について片面→両面に変更されてコピー画面に表示される。また、非表示として登録された設定項目である「カラーモード」についてフルカラーに変更されるがコピー画面に表示されない。
【００４４】
また、検出部２５により、変更された設定値があると検出された場合には、ユーザによって認証されたコピー画面において、設定項目の設定値が、初期値からカスタマイズ情報格納部２６に格納され認証されたユーザにより予め登録された設定値に変更され、表示として登録されている設定項目と、検出部２５により検出され、変更された設定値の設定項目が表示される。具体的には、図８に示すように、各設定項目の設定値が認証されたユーザＡにより予め登録された設定値に変更され、表示として登録された設定項目である「用紙選択」についてＡ４サイズに、「両面片面選択」について片面→両面に変更されて表示され、さらに、非表示として登録された設定項目であって、変更された設定値（「フルカラー」から「白黒」に変更）の設定項目である「カラーモード」が表示され、ユーザＡは、非表示として登録された設定項目であっても設定値が変更されたことを認識することができ、変更された設定値である「白黒」で画像形成する、カラートナーを交換する、画像形成を中止するといった処置を選択して行うことが可能となる。
【００４５】
このように、制御部２３は、ユーザが認証を行わずに未認証状態である場合には、初期値として保存された設定値を表示部２１に表示するよう制御する。そして制御部２３は、ユーザが認証を行って認証状態となった場合には、認証されたユーザにより予め表示するとして登録された設定値を表示部２１に表示するよう制御する。また制御部２３は、認識されたユーザにより予め表示しない（非表示）として登録された設定値が変更された場合に、表示部２１に表示するように制御する。
【００４６】
次に、本発明の一実施形態における画像形成装置１０の動作について、図９及び図１０に基づいて説明する。図９は、画像形成装置１０の各設定項目の設定動作を説明する図である。図１０は、画像形成装置１０の動作の一例を説明する図である。ここで、設定項目１〜６は、「カラーモード」、「用紙選択」、「倍率選択」、「濃度調整」、「両面片面選択」等の画像形成装置１０の機能に関する設定項目であって、設定値としてＡ，Ｂ，Ｃを設定できるものとして説明する。また、未認証時の初期画面における各設定項目の初期値を全て「Ｂ」とし、ユーザＡのカスタマイズ情報としてカスタマイズ情報格納部２６に格納されている各設定項目の設定値を全て「Ｃ」として説明する。
【００４７】
まず、コピー設定画面において初期画面の状態から、設定項目１〜６の設定値をアイコン３６上の右枠欄を操作体でタッチして選択する。また、設定項目１〜６について表示、非表示のいずれかのボタン４３を選択する。そして、設定ボタン４１がタッチされることにより、各設定項目について設定値を登録し、設定項目を表示するかしないかがカスタマイズ情報として登録（格納）される。具体的には、図９に示すように、設定項目１〜６について設定値として全て「Ｃ」を選択し、設定項目１〜３については表示、設定項目４〜６については非表示を選択して、設定ボタン４１を操作体でタッチする。
【００４８】
そして、図１０（ａ）に示すように、コピー画面において初期画面の状態から認証ボタン４０をタッチすることにより、図６に示すユーザ認証画面が表示される。そして、ＩＤとパスワードの入力等により、認証部２４により認証が行われる。
【００４９】
そして、検出部２５により、登録された設定項目の設定値の中に、非表示として登録された設定値から変更された設定値があるか否かが検出される。非表示として登録された設定値から変更された設定値がないと検出部２５により検出された場合には、初期値であった設定値が、認証されたユーザに対応する設定値（カスタマイズ情報）に変更されて表示される。具体的には、図１０（ａ）に示すように、初期画面から認証ボタン４０をタッチして、認証部２４により認証が行われることにより、図１０（ｂ）に示すように、設定項目１〜６について、初期値である「Ｂ」からユーザ認証したユーザＡの設定値である「Ｃ」に変更され、表示するとして登録されている設定項目１〜３は表示され、非表示として登録されている設定項目４〜６については表示されない。
【００５０】
そして、非表示として登録された設定値から変更された設定値があると検出部２５により検出された場合には、非表示として登録された設定値から変更された設定値の設定項目が表示される。具体的には、図１０（ｃ）に示すように、非表示である設定項目６の設定値が、ユーザＡの登録された設定値である「Ｃ」から「Ｂ」に変更された場合に、設定値が変更された設定項目である設定項目６が設定値「Ｂ」に変更されたものとして表示される。
【００５１】
そして、ＯＫボタンをタッチすることにより、設定された設定項目の設定値を用いて、処理が実行される。
【００５２】
例えば複合機のコピー画面上において、部数設定、カラーモード、用紙選択、両面片面選択等の複数の機能が搭載され、各機能において設定できる設定項目が従来に比べて多くなってきている。これらの設定項目を１つの画面に表示して設定できるようにする場合に、画面のスクロール操作が必要となる場合がある。また、複数のタブを用いて、それぞれのタブから設定できるようにした場合であっても、タブを選択して表示を切り替える操作が必要となる。このような装置の設定項目について、ユーザ毎に表示、非表示をカスタマイズして保存し、表示画面上の設定項目を少なくすることが行われている。
【００５３】
しかしながら、例えばユーザがコピー画面上において、表示する設定項目を部数設定のみとし、他の設定項目を非表示として非表示のカラーモードの設定値が自動となっている場合（原稿がカラーの場合はカラーモード、原稿が白黒の場合は白黒モードで動作するような設定である場合）に、例えばＹＭＣトナーのいずれかが空になる等で白黒コピーしかできないような状態になったときに、カラーモードの表示は非表示とされている為、カラーモードの設定値が白黒になっていることをユーザは認識できず、ユーザが意図したものとならない場合がある。
【００５４】
上記実施形態によれば、例えば、認証されたユーザのカラーモードの設定値が自動となっていて非表示として保存されている場合であっても、ＹＭＣトナーのいずれかが空になる等で白黒コピーしかできないような状態になったときに、カラーモードの設定値が自動から白黒モードに変更されたものとして表示されることにより、設定値が白黒モードに変更されていることをユーザに認識させることができる。
【００５５】
図１１から図１５は、本発明の一実施形態における画像形成装置１０の動作による他の表示例を説明する図である。
【００５６】
非表示として登録された設定値から変更された設定値があると検出部２５により検出された場合に、非表示として登録された設定項目の設定値から変更された設定値の設定項目を他の設定項目よりも上位に表示するようにしてもよい。具体的には、図１１に示すように、非表示として登録された設定項目６の設定値が、ユーザＡの登録された設定値である「Ｃ」から「Ｂ」に変更された場合に、設定値が変更された設定項目である設定項目６が設定値「Ｂ」に変更されたものとして他の設定項目１、２，３よりも上位に表示し、設定項目の設定値が登録された設定値から変更されていることをユーザに認識させやすくするようにしてもよい。
【００５７】
また、非表示として登録された設定値から変更された設定値があると検出部２５により検出された場合に、非表示として登録された設定項目の設定値から変更された設定値の設定項目を例えばグレーアウトする等、他の設定項目と表示が異なるように表示するようにしてもよい。具体的には、図１２に示すように、非表示として登録された設定項目６の設定値が、ユーザＡの登録された設定値である「Ｃ」から「Ｂ」に変更された場合に、設定値が変更された設定項目である設定項目６が設定値「Ｂ」に変更されたものとしてグレーアウトして表示されるようにし、設定項目の設定値が登録された設定値から変更されていることをユーザに認識させやすくするようにしてもよい。
【００５８】
また、非表示として登録された設定値から変更された設定値があると検出部２５により検出された場合に、非表示として登録された設定項目の設定値から変更された設定値の設定項目を他の設定項目と区切って分離させて表示するようにしてもよい。具体的には、図１３に示すように、非表示として登録された設定項目６の設定値が、ユーザＡの登録された設定値である「Ｃ」から「Ｂ」に変更された場合に、設定値が変更された設定項目である設定項目６が設定値「Ｂ」に変更されたものとして他の設定項目１、２，３よりも上位に表示し、設定項目６と設定項目１〜３との間にライン４５を設けて分離して表示し、設定項目の設定値が登録された設定値から変更されていることをユーザに認識させやすくするようにしてもよい。
【００５９】
また、非表示として登録された設定値から変更された設定値があると検出部２５により検出された場合に、図１４に示すように、表示されていない設定項目の設定値が変更されている旨を表示し、設定値が変更された設定項目を表示するか否かをユーザが選択する選択画面を表示するようにしてもよい。
【００６０】
また、非表示として登録された設定値から変更された設定値があると検出部２５により検出された場合に、図１５に示すように、設定値が変更された設定項目を表示して、変更された設定値を表示するか否かをユーザが選択する選択画面を表示するようにしてもよい。
【００６１】
また、上記実施形態では、非表示として登録された設定値が変更された設定項目が１つである場合について説明したが、これに限らず、非表示として登録された設定値が変更された設定項目が複数である場合にも適用される。
【００６２】
なお、上記実施形態では、ＩＤ及びパスワードの入力による認証方法を用いて認証する場合を用いて説明したが、これに限らず、ＩＣカードによる認証方法等を用いて認証するようにしてもよい。
【００６３】
また、上記実施形態では、認証を行ったときに設定値が変更されているか検出する例を用いて説明したが、これに限らず、処理を実行中に機械状態、権限状態等により設定値が変更された場合にも適用される。
【００６４】
[変形例]
上記実施形態では、画像形成装置に対して本発明を適用した場合を用いて説明したが、本発明はこれに限定されるものではなく、スマートフォン、パーソナルコンピュータ、タブレット端末装置等の他の情報処理装置に対しても同様に本発明を適用することができるものである。
【符号の説明】
【００６５】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
【図１】
2018034303.tif 000003
【図２】
2018034303.tif 000004
【図３】
2018034303.tif 000005
【図４】
2018034303.tif 000006
【図５】
2018034303.tif 000007
【図６】
2018034303.tif 000008
【図７】
2018034303.tif 000009
【図８】
2018034303.tif 000010
【図９】
2018034303.tif 000011
【図１０】
2018034303.tif 000012
【図１１】
2018034303.tif 000013
【図１２】
2018034303.tif 000014
【図１３】
2018034303.tif 000015
【図１４】
2018034303.tif 000016
【図１５】
2018034303.tif 000017